(57)【要約】【課題】消防隊員に対する誘導機能を改善した消防用ホースを提供する。【解決手段】ホース本体２と、ホース本体２の両端部にそれぞれ取り付けられた一対の雄継手４と雌継手５からなる連結金具３とを備えた消防用ホース１において、ホース本体２の外周面に複数の方向表示体１０がホース長手方向に沿って間隔をおいて配置され、方向表示体１０の各々はホース長手方向に隣り合う第一表示部１１及び第二表示部１２から構成され、第一表示部１１は第一の色を有し、第二表示部１２は第二の色を有する。【選択図】図１
2020203019.tif 000002
【特許請求の範囲】
【請求項１】
ホース本体と、該ホース本体の両端部にそれぞれ取り付けられた一対の雄継手と雌継手からなる連結金具とを備えた消防用ホースにおいて、
前記ホース本体の外周面に複数の方向表示体がホース長手方向に沿って間隔をおいて配置され、前記方向表示体の各々がホース長手方向に隣り合う第一表示部及び第二表示部から構成され、前記第一表示部が第一の色を有し、前記第二表示部が第二の色を有することを特徴とする消防用ホース。
【請求項２】
前記第一の色が寒色であり、前記第二の色が暖色であることを特徴とする請求項１に記載の消防用ホース。
【請求項３】
前記方向表示体の各々において前記第一表示部が前記雌継手の側に配置され、前記第二表示部が前記雄継手の側に配置されていることを特徴とする請求項２に記載の消防用ホース。
【請求項４】
前記方向表示体が反射性を有することを特徴とする請求項１〜３のいずれかに記載の消防用ホース。
【請求項５】
前記方向表示体が再帰反射性を有することを特徴とする請求項４に記載の消防用ホース。
【請求項６】
前記方向表示体のホース長手方向の長さＡと前記方向表示体のホース周方向の長さＢとが０．２≦Ａ／Ｂ≦５．０の関係を満たすことを特徴とする請求項１〜５のいずれかに記載の消防用ホース。
【請求項７】
前記方向表示体のホース周方向の長さＢとホース周囲長Ｃとが０．０５≦Ｂ／Ｃ≦０．５０の関係を満たすことを特徴とする請求項１〜６のいずれかに記載の消防用ホース。
【請求項８】
前記方向表示体のホース長手方向の長さＡと前記方向表示体の相互間隔Ｄとが０．０２≦Ａ／Ｄ≦１．００の関係を満たすことを特徴とする請求項１〜７のいずれかに記載の消防用ホース。
【請求項９】
前記方向表示体が前記雄継手と前記雌継手との間に５〜４０個配置されていることを特徴とする請求項１〜８のいずれかに記載の消防用ホース。
【発明の詳細な説明】
【技術分野】
【０００１】
本発明は消防用ホースに関し、更に詳しくは、消防隊員に対する誘導機能を改善した消防用ホースに関する。
【背景技術】
【０００２】
消防用ホースにおいて、ホースの視認性を向上させると共に、消防隊員に対する誘導機能を付加するため、ホース長手方向に沿って反射特性と蓄光特性を有する縦色線を設けることが行われている（例えば、特許文献１参照）。しかしながら、このような消防用ホースの場合、ホース長手方向のいずれの方向へ進めばよいのかを瞬時に判断することができず、消防隊員に対する誘導機能を十分に発揮することができないという懸念がある。
【先行技術文献】
【特許文献】
【０００３】
【特許文献１】特開２００９−１５０５２２号公報
【発明の概要】
【発明が解決しようとする課題】
【０００４】
本発明の目的は、上述した点に鑑み、消防隊員に対する誘導機能を改善した消防用ホースを提供することにある。
【課題を解決するための手段】
【０００５】
本発明の目的を達成する消防用ホースは、ホース本体と、該ホース本体の両端部にそれぞれ取り付けられた一対の雄継手と雌継手からなる連結金具とを備えた消防用ホースにおいて、前記ホース本体の外周面に複数の方向表示体がホース長手方向に沿って間隔をおいて配置され、前記方向表示体の各々がホース長手方向に隣り合う第一表示部及び第二表示部から構成され、前記第一表示部が第一の色を有し、前記第二表示部が第二の色を有することを特徴とする。
【発明の効果】
【０００６】
本発明では、消防用ホースにおいて、ホース本体の外周面に複数の方向表示体がホース長手方向に沿って間隔をおいて配置され、方向表示体の各々はホース長手方向に隣り合う第一表示部及び第二表示部から構成され、第一表示部は第一の色を有し、第二表示部は第二の色を有しているので、予め、例えば、第一表示部の第一の色が水源側を示し、第二表示部の第二の色が火災源側を示すことを消防隊員に周知しておくことで、方向表示体の色に基づいてホース長手方向に方向性を付与することができる。これにより、火災現場で消防隊員が方向表示体を視認した際、帰還路の方向（水源側の方向）を瞬時かつ確実に判断することができるため、消防隊員に対する誘導機能を改善することが可能である。
【０００７】
本発明の消防用ホースにおいて、第一の色は寒色であり、第二の色は暖色であることが好ましい。これにより、方向表示体において色の違いが明瞭になり、色が判別し易くなるので、消防隊員に対する誘導機能を効果的に改善することができる。例えば、寒色を有する第一表示部を水源側に配置し、暖色を有する第二表示部を火災源側に配置した場合、その識別作用が顕著である。
【０００８】
方向表示体の各々において第一表示部は雌継手の側に配置され、第二表示部は雄継手の側に配置されているとよい。これにより、消防隊員に対する誘導機能を効果的に改善することができる。通常、消防用ホースでは雄継手側に火災源があり、雌継手側に水源があるので、例えば、青色を有する第一表示部を水源側（雌継手側）に配置し、赤色を有する第二表示部を火災源側（雄継手側）に配置した場合等、色により直感的に水源側及び火災源側を認識できるようにすることで、方向表示体の誘導機能が顕著に発揮される。
【０００９】
方向表示体は反射性を有することが好ましく、再帰反射性を有することがより好ましい。反射性又は再帰反射性を有する方向表示体を設けた場合、ホースの視認性を高めることができる。
【００１０】
方向表示体のホース長手方向の長さＡと方向表示体のホース周方向の長さＢとは０．２≦Ａ／Ｂ≦５．０の関係を満たすとよい。これにより、方向表示体の視認性を高くすることができる。
【００１１】
方向表示体のホース周方向の長さＢとホース周囲長Ｃとは０．０５≦Ｂ／Ｃ≦０．５０の関係を満たすとよい。これにより、方向表示体の視認性を高めることができる。
【００１２】
方向表示体のホース長手方向の長さＡと方向表示体の相互間隔Ｄとは０．０２≦Ａ／Ｄ≦１．００の関係を満たすとよい。これにより、方向表示体の視認性を高めることができる。
【００１３】
方向表示体は雄継手と雌継手との間に５〜４０個配置されているとよい。これにより、方向表示体の視認性を高めることができる。
【図面の簡単な説明】
【００１４】
【図１】本発明の実施形態からなる消防用ホースの一例を示す平面図である。
【図２】図１の消防用ホースの一部を拡大して示す平面図である。
【図３】（ａ）〜（ｄ）は方向表示体の変形例を示す平面図である。
【発明を実施するための形態】
【００１５】
以下、本発明の構成について添付の図面を参照しながら詳細に説明する。図１は本発明の実施形態からなる消防用ホースを示すものである。図１の本実施形態の消防用ホース１においてホース本体２の長手方向の中間部分を省略して示している。
【００１６】
ホース本体２は、ホース長手方向に配される経糸と、ホース長手方向中心軸の周りに螺旋状に配される緯糸により、連続する筒状に織成した筒状織物からなる。また、ホース本体２の内面には、ゴムまたは合成樹脂からなる被覆層が形成されている。
【００１７】
図１に示すように、消防用ホース１において、ホース本体２の両端部にそれぞれ差込式の連結金具３が取り付けられている。この連結金具３は一対の金属製の雄継手４と雌継手５から構成される。一方の消防用ホースの雄継手４を他方の消防用ホースの雌継手５に差し込むことによって、雄継手４と雌継手５とが嵌合し、一方の消防用ホースと他方の消防用ホースとを連結することができる。このような連結作業を繰り返し行なうことで複数本の消防用ホースを１本の連続したホースとして使用することができる。
【００１８】
上記消防用ホースにおいて、ホース本体２の外周面には、複数の方向表示体１０がホース長手方向に沿って間隔をおいて配置されている。これら方向表示体１０は、それぞれホース長手方向に隣り合う第一表示部１１及び第二表示部１２から構成されている。第一表示部１１は第一の色を有し、第二表示部１２は第二の色を有している。これら第一の色及び第二の色は特に限定されるものではないが、例えば、赤色、橙色、黄色、青色、緑色、紫色等から互いに異なる色を使用することができる。また、方向表示体１０は、例えば、ホース製織後にホース本体２の外周面に塗料又は顔料を塗布することや、着色されたテープを貼り付けることにより形成してもよく、或いは染色した着色糸を経糸として織り込むことにより形成してもよい。即ち、方向表示体１０は、ホース本体２に対して別体として形成する或いは一体的に形成することができる。
【００１９】
ホース長手方向に沿って並ぶ方向表示体１０は、方向表示体１０の視認性を高めるために、ホース周方向に対して複数列設けるとよい。更に、ホース周上に設けた各列をホース周方向に等間隔に配置するとよい。
【００２０】
上述した消防用ホース１では、ホース本体２の外周面に複数の方向表示体１０がホース長手方向に沿って間隔をおいて配置され、方向表示体１０の各々はホース長手方向に隣り合う第一表示部１１及び第二表示部１２から構成され、第一表示部１１は第一の色を有し、第二表示部１２は第二の色を有しているので、予め、例えば、第一表示部１１の第一の色が水源側を示し、第二表示部１２の第二の色が火災源側を示すことを消防隊員に周知しておくことで、方向表示体１０の色に基づいてホース長手方向に方向性を付与することができる。これにより、火災現場で消防隊員が方向表示体１０を視認した際、帰還路の方向（水源側の方向）を瞬時かつ確実に判断することができるため、消防隊員に対する誘導機能を改善することが可能である。
【００２１】
上記消防用ホースにおいて、第一表示部１１の第一の色は寒色であり、第二表示部１２の第二の色は暖色であることが好ましい。ここで、寒色としては青色、青紫色、青緑色等を例示することができ、暖色としては赤色、橙色、黄色等を例示することができる。更には、第一の色を青色（寒色）とし、第二の色を赤色（暖色）とすることがより好ましい。このように方向表示体１０の色を選択することで、方向表示体１０において色の違いが明瞭になり、色が判別し易くなるので、消防隊員に対する誘導機能を効果的に改善することができる。特に、寒色を有する第一表示部１１を水源側に配置し、暖色を有する第二表示部１２を火災源側に配置することで、その識別作用が顕著である。
【００２２】
また、方向表示体１０の各々において第一表示部１１は雌継手５の側に配置され、第二表示部１２は雄継手４の側に配置されているとよい。このように第一表示部１１及び第二表示部１２を配置することで、消防隊員に対する誘導機能を効果的に改善することができる。通常、消防用ホースでは雄継手側に火災源があり、雌継手側に水源があるので、特に、青色（寒色）を有する第一表示部１１を水源側（雌継手側）に配置し、赤色（暖色）を有する第二表示部１２を火災源側（雄継手側）に配置することで、色により直感的に水源側及び火災源側を認識できるようになり、方向表示体１０の誘導機能が顕著に発揮される。
【００２３】
更に、方向表示体１０は反射性を有することが好ましい。例えば、ホース本体２の外周面に反射材を含むテープを貼り付けることや反射塗料を直接塗布すること、或いは、反射材を練り込んだ経糸や糸表面に反射塗料を塗布した経糸を織り込むこと等により、反射性を有する方向表示体１０を形成することができる。特に、方向表示体１０は再帰反射性を有することがより好ましい。具体的に、方向表示体１０は再帰性反射材から構成してもよく、或いは再帰反射性を有する経糸で構成してもよい。再帰性反射材として、例えばガラスビーズを用いることができる。ホース本体２の外周面に再帰性反射材を含むテープを貼り付けることや再帰性反射材を樹脂または接着剤に混ぜて直接塗布すること、或いは、再帰反射性を有する経糸を織り込むこと等により、再帰反射性を有する方向表示体１０を形成することができる。このように方向表示体１０が反射性又は再帰反射性を有することで、ホースの視認性を高めることができる。なお、方向表示体１０が反射性又は再帰性反射性を有する場合も方向表示体１０の着色手段は特に限定されるものではなく、方向表示体１０を構成する材料を着色してもよく、或いは染色した着色糸を経糸として織り込むようにしてもよい。
【００２４】
図２は消防用ホースの一部を拡大して示すものであり、方向表示体１０の各種の寸法を示している。方向表示体１０のホース長手方向の長さＡと方向表示体１０のホース周方向の長さＢとは、０．２≦Ａ／Ｂ≦５．０の関係を満たすことが好ましく、１．０≦Ａ／Ｂ≦４．０の関係を満たすことがより好ましい。また、第一表示部１１のホース長手方向の長さａ１又は第二表示部１２のホース長手方向の長さａ２と、方向表示体１０のホース周方向の長さＢとは、０．１≦ａ１／Ｂ≦２．５、０．１≦ａ２／Ｂ≦２．５の関係を満たすことが好ましい。その際、長さＢを１０ｍｍ〜６０ｍｍの範囲に設定すると良い。このように長さＢに対する長さＡ又は長さａ１，ａ２の比を適度に設定することで、方向表示体１０の視認性を高くすることができる。なお、図示の例では、第一表示部１１と第二表示部１２の間に間隔を設けているが、これに限定されるものではなく、間隔を設けなくともよい。
【００２５】
方向表示体１０のホース周方向の長さＢとホース周囲長Ｃとは、０．０５≦Ｂ／Ｃ≦０．５０の関係を満たすことが好ましく、０．１０≦Ｂ／Ｃ≦０．２０の関係を満たすことがより好ましい。図示の例では、第一表示部１１のホース周方向の長さと第二表示部１２のホース周方向の長さとは同等であるが、上述したＢ／Ｃの範囲内であれば第一表示部１１と第二表示部１２のホース周方向の長さを異ならせてもよい。このようにホース周囲長Ｃに対する長さＢの比を適度に設定することで、方向表示体１０の視認性を高めることができる。なお、ホース周囲長Ｃは、ホース本体２の外周面において測定される全周の長さである。
【００２６】
方向表示体１０のホース長手方向の長さＡと方向表示体１０の相互間隔Ｄとは、０．０２≦Ａ／Ｄ≦１．００の関係を満たすことが好ましく、０．２０≦Ａ／Ｄ≦０．８０の関係を満たすことがより好ましい。このように相互間隔Ｄに対する長さＡの比を適度に設定することで、方向表示体１０の視認性を高めることができる。
【００２７】
方向表示体１０は雄継手４と雌継手５との間に５〜４０個配置されているとよい。一般に、消防用ホースは雄継手と雌継手の間の距離が約２０ｍであるが、当該区間に方向表示体１０が適度に配置されていることで、方向表示体１０の視認性を高めることができる。なお、上記配置数は、ホース長手方向に沿って並ぶ方向表示体１０の１列分の総数である。
【００２８】
上述した実施形態では、方向表示体１０が一対の四角形からなる例を示したが、これに限定されるものではなく、他の多角形や円形等の図形により形成してもよく、第一表示部１１と第二表示部１２の形状を異ならせてもよい。例えば、図３（ａ）に示す方向表示体１０は同一の大きさの三角形からなり、図３（ｂ）に示す方向表示体１０は互いに異なる大きさの三角形からなる。これら方向表示体１０は、第一表示部１１及び第二表示部１２の各々がホース長手方向に対して方向性を表示している。また、図３（ｃ）に示す第一表示部１１は第二表示部１２よりもホース長手方向の長さが長く、図３（ｄ）に示す方向表示体１０は、２つの要素１１ａ，１１ｂからなる第一表示部１１と１つの要素１２ａからなる第二表示部１２とを有している。これら方向表示体１０は、段階的にホース長手方向の長さを変化させることにより、ホース長手方向に対して方向性を表示している。上述した例では、いずれも方向表示体１０の色だけでなく形状に基づいて方向性を表示することができるため、好適である。なお、図３（ａ）〜（ｄ）において、図の左側が水源側（雌継手側）であり、図の右側が火災源側（雄継手側）である。
【符号の説明】
【００２９】
１  消防用ホース
２  ホース本体
３  連結金具
４  雄金具
５  雌金具
１０  方向表示体
１１  第一表示部
１２  第二表示部
【図１】
2020203019.tif 000003
【図２】
2020203019.tif 000004
【図３】
2020203019.tif 000005
【手続補正書】
【提出日】令和2年9月14日(2020.9.14)
【手続補正１】
【補正対象書類名】特許請求の範囲
【補正対象項目名】請求項１
【補正方法】変更
【補正の内容】
【請求項１】
ホース本体と、該ホース本体の両端部にそれぞれ取り付けられた一対の雄継手と雌継手からなる連結金具とを備えた消防用ホースにおいて、
前記ホース本体の外周面に複数の方向表示体がホース長手方向に沿って間隔をおいて固定され、前記方向表示体の各々がホース長手方向に隣り合う第一表示部及び第二表示部から構成され、前記第一表示部が第一の色を有し、前記第二表示部が第二の色を有することを特徴とする消防用ホース。
【手続補正２】
【補正対象書類名】明細書
【補正対象項目名】０００５
【補正方法】変更
【補正の内容】
【０００５】
本発明の目的を達成する消防用ホースは、ホース本体と、該ホース本体の両端部にそれぞれ取り付けられた一対の雄継手と雌継手からなる連結金具とを備えた消防用ホースにおいて、前記ホース本体の外周面に複数の方向表示体がホース長手方向に沿って間隔をおいて固定され、前記方向表示体の各々がホース長手方向に隣り合う第一表示部及び第二表示部から構成され、前記第一表示部が第一の色を有し、前記第二表示部が第二の色を有することを特徴とする。
【手続補正３】
【補正対象書類名】明細書
【補正対象項目名】０００６
【補正方法】変更
【補正の内容】
【０００６】
本発明では、消防用ホースにおいて、ホース本体の外周面に複数の方向表示体がホース長手方向に沿って間隔をおいて固定され、方向表示体の各々はホース長手方向に隣り合う第一表示部及び第二表示部から構成され、第一表示部は第一の色を有し、第二表示部は第二の色を有しているので、予め、例えば、第一表示部の第一の色が水源側を示し、第二表示部の第二の色が火災源側を示すことを消防隊員に周知しておくことで、方向表示体の色に基づいてホース長手方向に方向性を付与することができる。これにより、火災現場で消防隊員が方向表示体を視認した際、帰還路の方向（水源側の方向）を瞬時かつ確実に判断することができるため、消防隊員に対する誘導機能を改善することが可能である。